【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
印刷装置であって、
無線ＬＡＮ（Ｌｏｃａｌ  Ａｒｅａ  Ｎｅｔｗｏｒｋ）インタフェースと、
前記無線ＬＡＮインタフェースを制御してＩＥＥＥ８０１．１１規格に基づく無線通信を行うアクセスポイントとして前記印刷装置を機能させる第１の通信制御手段と、
前記印刷装置が通信端末からネットワークに関する設定情報を前記アクセスポイント経由のダイレクト無線通信を用いて受信し、当該設定情報を受信したことに基づき前記印刷装置のネットワーク設定を変更する第１のモードで動作している場合は、前記アクセスポイントを介したデータの送受信に使用する通信フィルタとして第１の通信フィルタを適用し、前記印刷装置が少なくとも通信端末から印刷データを受信して印刷するために前記アクセスポイントを使用する第２のモードで動作している場合は、前記アクセスポイントを介したデータの送受信に使用する通信フィルタとして第２の通信フィルタを適用する適用手段と、
前記適用手段により適用した通信フィルタに基づいて前記アクセスポイントを介したデータの送受信を制御する第２の通信制御手段と、
を有することを特徴とする印刷装置。
【請求項２】
前記第１の通信制御手段は、印刷装置が前記第１のモードで動作している状態で、前記アクセスポイントを介して前記設定情報を受信したことに従って、前記アクセスポイントとして前記印刷装置を機能させる制御を停止することを特徴とする請求項１に記載の印刷装置。
【請求項３】
前記第１の通信制御手段は、前記第１のモードで前記印刷装置を動作させるユーザ指示を受け付けた場合、又は、前記第２のモードで前記印刷装置を動作させるユーザ指示を受け付けた場合に、前記無線ＬＡＮインタフェースを制御して、アクセスポイントとして前記印刷装置を機能させる制御を開始することを特徴とする請求項１又は２に記載の印刷装置。
【請求項４】
前記第１の通信制御手段は、前記第１のモード用の設定で前記印刷装置をアクセスポイントとして機能させている状態で、前記第２のモードを使用するユーザ指示を受け付けた場合は、前記印刷装置を前記第１のモード用の設定でアクセスポイントを機能させている状態から、前記印刷装置が前記第２のモード用の設定がなされたアクセスポイントとして機能する状態に遷移するよう制御することを特徴とする請求項３に記載の印刷装置。
【請求項５】
前記第１の通信制御手段は、更に前記第２のモード用の設定で前記印刷装置をアクセスポイントとして機能させている状態で、前記第１のモードを使用するユーザ指示を受け付けた場合は、前記印刷装置を前記第２のモード用の設定でアクセスポイントを機能させている状態から、前記印刷装置が前記第１のモード用の設定がなされたアクセスポイントとして機能する状態に遷移するよう制御することを特徴とする請求項４に記載の印刷装置。
【請求項６】
前記第１のモード用の設定及び前記第２のモード用の設定は、アクセスポイントを識別するためのＳＳＩＤと、ネットワークキーを少なくとも含むことを特徴とする請求項４又は５に記載の印刷装置。
【請求項７】
前記第２の通信フィルタは、少なくとも所定タイプの印刷データの受信を許可するよう構成され、前記第１の通信フィルタは、少なくとも前記所定タイプの印刷データの受信を許可しないよう構成されていることを特徴とする請求項１乃至６のいずれか１項に記載の印刷装置。
【請求項８】
前記第１の通信フィルタ及び前記第２の通信フィルタはポートフィルタであることを特徴とする請求項１乃至７のいずれか１項に記載の印刷装置。
【請求項９】
前記無線ＬＡＮインタフェースは更に、外部のアクセスポイントが提供するネットワークに接続するためのインフラストラクチャモードで動作可能であり、
前記第２の通信制御手段は、前記インフラストラクチャモードで外部と無線通信を行う場合は、第３の通信フィルタに基づいて外部との無線通信を制御することを特徴とする請求項１乃至８のいずれか１項に記載の印刷装置。
【請求項１０】
前記受信した設定情報に含まれる外部のアクセスポイントに接続するための接続情報に基づき前記インフラストラクチャモードで使用する無線接続設定を変更する変更手段を更に有することを特徴とする請求項９に記載の印刷装置。
【請求項１１】
有線ＬＡＮインタフェースを更に備え、
前記第２の通信制御手段は、前記有線ＬＡＮインタフェースを介して外部と通信を行う場合は、第３の通信フィルタに基づいて外部との通信を制御することを特徴とする請求項１乃至１０のいずれか１項に記載の印刷装置。
【請求項１２】
前記印刷装置は、前記第１のモード及び前記第２のモードの両方が有効な状態で動作することが可能であり、前記第１の通信制御手段は、前記第１のモード及び前記第２のモードの両方が有効な状態で有効な状態で前記印刷装置が動作している場合、前記第１のモードに対応する、第１のＳＳＩＤで外部から識別される第１のアクセスポイントとして前記印刷装置を機能させるとともに、前記第１のアクセスポイントとは異なる前記第２のモードに対応する、第２のＳＳＩＤで外部から識別される第２のアクセスポイントとしても前記印刷装置を機能させることを特徴とする請求項１に記載の印刷装置。
【請求項１３】
無線ＬＡＮ（Ｌｏｃａｌ  Ａｒｅａ  Ｎｅｔｗｏｒｋ）インタフェースを備え、前記無線ＬＡＮインタフェースを介して通信端末とダイレクト無線通信を行う印刷装置の制御方法であって、
前記無線ＬＡＮインタフェースを制御してＩＥＥＥ８０１．１１規格に基づく無線通信を行うアクセスポイントとして前記印刷装置を機能させる第１の通信制御工程と、
前記印刷装置が通信端末からネットワークに関する設定情報を前記アクセスポイントを経由したダイレクト無線通信を用いて受信し、当該設定情報を受信したことに基づき前記印刷装置のネットワーク設定を変更する第１のモードで動作している場合は、前記アクセスポイントを介したデータの送受信に使用する通信フィルタとして第１の通信フィルタを適用し、前記印刷装置が少なくとも通信端末から印刷データを受信して印刷するために前記アクセスポイントを使用する第２のモードで動作している場合は、前記アクセスポイントを介したデータの送受信に使用する通信フィルタとして第２の通信フィルタを適用する適用工程と、
前記適用工程で適用した通信フィルタに基づいて前記アクセスポイントを介したデータの送受信を制御する第２の通信制御工程と、
を有することを特徴とする印刷装置の制御方法。
【請求項１４】
コンピュータを、請求項１乃至１３のいずれか１項に記載の印刷装置の各手段として機能させるためのプログラム。
【請求項１５】
通信端末と無線通信を行う印刷装置であって、
無線ＬＡＮ（Ｌｏｃａｌ  Ａｒｅａ  Ｎｅｔｗｏｒｋ）インタフェースと、
前記無線ＬＡＮインタフェースを制御して無線通信に使用するアクセスポイントとして前記印刷装置を機能させる第１の通信制御手段と、
第１のアクセスポイントとして前記印刷装置が機能している場合、前記第１のアクセスポイントを介してデータを送受信する第１のネットワークインタフェースに対して第１のポートフィルタを適用して前記第１のアクセスポイントを介した前記ダイレクト無線通信を制御し、前記第１のアクセスポイントとは異なる第２のアクセスポイントとして前記印刷装置が機能している場合、前記第２のアクセスポイントを介してデータを送受信する第２のネットワークインタフェースに対して前記第１のポートフィルタとは異なる第２のポートフィルタを適用して前記第２のアクセスポイントを介した無線通信を制御する第２の通信制御手段と、を有し、
前記第２のポートフィルタは、少なくとも所定のタイプの印刷データを受信する際に用いられる第１のポートを用いた通信を許可するよう構成され、前記第１のポートフィルタは、少なくとも、前記第１のポートフィルタを適用した通信制御では通信が許可されない第２のポートを用いた通信を許可するよう構成されていることを特徴とする印刷装置。
【手続補正２】
【補正対象書類名】明細書
【補正対象項目名】発明の名称
【補正方法】変更
【補正の内容】
【発明の名称】印刷装置、印刷装置の制御方法、及びプログラム
【手続補正３】
【補正対象書類名】明細書
【補正対象項目名】００１０
【補正方法】変更
【補正の内容】
【００１０】
本発明は、上記の問題点を鑑みてなされたものである。本発明は、ダイレクト無線通信を行う際の動作モードに応じて異なるポートフィルタに基づく通信制御を行い、適切に印刷端末と情報処理装置の連携を行えるようにすることを目的とする。
【手続補正４】
【補正対象書類名】明細書
【補正対象項目名】００１１
【補正方法】変更
【補正の内容】
【００１１】
上記の目的を達成するために本発明の印刷装置は、無線ＬＡＮ（Ｌｏｃａｌ  Ａｒｅａ  Ｎｅｔｗｏｒｋ）インタフェースと、前記無線ＬＡＮインタフェースを制御してＩＥＥＥ８０１．１１規格に基づく無線通信を行うアクセスポイントとして前記印刷装置を機能させる第１の通信制御手段と、前記印刷装置が通信端末からネットワークに関する設定情報を前記アクセスポイント経由のダイレクト無線通信を用いて受信し、当該設定情報を受信したことに基づき前記印刷装置のネットワーク設定を変更する第１のモードで動作している場合は、前記アクセスポイントを介したデータの送受信に使用する通信フィルタとして第１の通信フィルタを適用し、前記印刷装置が少なくとも通信端末から印刷データを受信して印刷するために前記アクセスポイントを使用する第２のモードで動作している場合は、前記アクセスポイントを介したデータの送受信に使用する通信フィルタとして第２の通信フィルタを適用する適用手段と、前記適用手段により適用した通信フィルタに基づいて前記アクセスポイントを介したデータの送受信を制御する第２の通信制御手段と、を有することを特徴とする。
【手続補正５】
【補正対象書類名】明細書
【補正対象項目名】００１２
【補正方法】変更
【補正の内容】
【００１２】
本発明の一つの側面によれば、ダイレクト無線通信を複数の目的で使用する場合であっても、適切に通信端末と印刷装置の連携を制御することができる。